(57)【特許請求の範囲】
【請求項１】
加熱状態と加熱停止状態とに切換え自在な加熱部、風呂追焚き用の熱交換器、暖房用の端末、及び、大気開放型の熱媒貯留タンクを経由する熱媒循環路を通して熱媒を循環させる熱媒循環手段と、
前記暖房用の端末をバイパスして熱媒を通流させるように前記熱媒循環路に接続されたバイパス路と、
前記熱媒循環路における前記バイパス路の接続箇所よりも前記暖房用の端末側に位置する循環路部分を開閉する暖房端末用の断続弁と、
前記熱媒貯留タンクに貯留される熱媒量が設定下限値以下であるか否か及び設定上限値以上であるか否かを検出する熱媒量検出手段と、
前記熱媒貯留タンクに熱媒を補給する補給状態と補給停止状態とに切換え自在な熱媒補給手段と、
前記加熱部、前記熱媒循環手段、前記暖房端末用の断続弁、及び、前記熱媒補給手段の作動を制御する制御手段とが設けられ、
前記制御手段が、前記熱媒量検出手段の検出情報に基づいて、熱媒量が前記設定下限値以下になると前記設定上限値になるように熱媒を補給すべく、前記熱媒補給手段の作動を制御する熱媒補給処理を実行するよう構成された熱供給装置であって、
前記制御手段が、
前記熱媒補給処理を実行してからの経過時間が設定判定時間を経過するまでに前記熱媒量検出手段にて熱媒量が前記設定下限値以下になることが検出される熱媒異常減少状態が検出された場合、又は、その熱媒異常減少状態が連続して設定回数以上検出された場合には、前記熱媒補給処理を次に実行してからの検査経過時間が、前記熱媒補給処理を前回実行してから前記熱媒量検出手段にて熱媒量が前記設定下限値以下になることが検出されるまでに経過した減少検出経過時間よりも設定処理用時間だけ短い処理用タイミングになると、前記暖房端末用の断続弁を閉じ状態にして前記熱媒循環手段を作動させる熱媒加圧処理を実行し、かつ、
その熱媒加圧処理を実行したのちにおいて前記検査経過時間が前記設定判定時間又は前記減少検出経過時間に達するまでに、前記熱媒量検出手段にて熱媒量が前記設定下限値以下になることが検出されると、前記風呂追焚き用の熱交換器の漏れ異常であると判定し、その判定結果を報知する熱交換器漏れ判定処理を実行するように構成されている熱供給装置。
【請求項２】
前記制御手段が、
前記検査経過時間が前記減少検出経過時間に達するまでに、前記熱媒量検出手段にて熱媒量が前記設定下限値以下になることが検出されると、前記風呂追焚き用の熱交換器の漏れ異常であると判定する場合において、前記検査経過時間が前記減少検出経過時間を経過したのち前記設定判定時間に達するまでに、前記熱媒量検出手段にて熱媒量が設定下限値以下になることが検出されたとき、又は、
前記検査経過時間が前記設定判定時間に達するまでに、前記熱媒量検出手段にて熱媒量が前記設定下限値以下になることが検出されると、前記風呂追焚き用の熱交換器の漏れ異常であると判定する場合において、前記検査経過時間が前記設定判定時間に達するまでに、前記熱媒量検出手段にて熱媒量が設定下限値以下になることが検出されないときには、
前記暖房用の端末の漏れ異常であると判定し、その判定結果を報知する暖房用の端末漏れ判定処理を実行するように構成されている請求項１記載の熱供給装置。
【請求項３】
前記制御手段が、前記熱媒加圧処理において、前記加熱部を加熱状態にする処理を実行するように構成されている請求項１又は２記載の熱供給装置。
【請求項４】
前記熱媒循環路が、前記風呂追焚き用の熱交換器を装備する風呂追焚き用循環路部分と前記暖房用の端末を装備する暖房用循環路部分とを並列状態で備えるように構成され、
前記風呂追焚き用循環路部分を開閉する風呂追焚き用の断続弁が設けられ、
前記制御手段が、前記熱媒加圧処理において、前記風呂追焚き用の断続弁を開き状態にする処理を実行するように構成されている請求項１〜３のいずれか１項に記載の熱供給装置。
【請求項５】
前記バイパス路の開度を変更する開度調整手段が設けられ、
前記制御手段が、前記熱媒加圧処理において、前記開度調整手段を開度減少側に調整する処理を実行するように構成されている請求項４に記載の熱供給装置。
【発明の詳細な説明】
【技術分野】
【０００１】
本発明は、加熱状態と加熱停止状態とに切換え自在な加熱部、風呂追焚き用の熱交換器、暖房用の端末、及び、大気開放型の熱媒貯留タンクを経由する熱媒循環路を通して熱媒を循環させる熱媒循環手段と、前記暖房用の端末をバイパスして熱媒を通流させるように前記熱媒循環路に接続されたバイパス路と、前記熱媒循環路における前記バイパス路の接続箇所よりも前記暖房用の端末側に位置する循環路部分を開閉する暖房端末用の断続弁と、前記熱媒貯留タンクに貯留される熱媒量が設定下限値以下であるか否か及び設定上限値以上であるか否かを検出する熱媒量検出手段と、前記熱媒貯留タンクに熱媒を補給する補給状態と補給停止状態とに切換え自在な熱媒補給手段と、前記加熱部、前記熱媒循環手段、前記暖房端末用の断続弁、及び、前記熱媒補給手段の作動を制御する制御手段とが設けられ、前記制御手段が、前記熱媒量検出手段の検出情報に基づいて、熱媒量が前記設定下限値以下になると前記設定上限値になるように熱媒を補給すべく、前記熱媒補給手段の作動を制御する熱媒補給処理を実行するよう構成された熱供給装置に関する。
【背景技術】
【０００２】
このような熱供給装置は、一般家庭に設置して使用されるものであって、例えば、加熱部として、ガス燃焼式の加熱器が設けられ、そして、循環手段にて熱媒を循環させることにより、風呂追焚き用の熱交換器にて浴槽の湯水を追焚きすることや、浴室暖房乾燥機や床暖房パネル等の暖房用の端末にて暖房を行えることになる。
【０００３】
このような熱供給装置においては、熱媒循環路を通流する熱媒が、風呂追焚き用の熱交換器や暖房用の端末等にて漏れるトラブルを発生する虞があり、このため、制御手段が、熱媒補給処理を実行してからの経過時間が設定判定時間（例えば、６４時間）を経過するまでに熱媒量検出手段にて熱媒量が設定下限値以下になることが検出される熱媒異常減少状態が、連続して設定回数検出された場合には、熱媒漏れであると判定し、その判定結果を報知するように構成されたものがある（例えば、特許文献１参照。）。
【０００４】
つまり、熱媒循環路を通流する熱媒の量は、大気開放型の熱媒貯留タンクから熱媒が蒸発する等により、使用に伴って減少することになり、そして、熱媒量検出手段にて熱媒量が設定下限値以下になることが検出されると、熱媒補給処理によって、熱媒量検出手段にて熱媒量が設定上限値を検出するまで、熱媒が補給されることになる。
このように、熱媒の量は、使用に伴って漸次減少することになるが、例えば、風呂追焚き用熱交換器において熱媒の漏れが発生している場合や、暖房用の端末にて漏れが発生している場合には、上述の熱媒異常減少状態が生じることになるから、熱媒異常減少状態が、連続して設定回数（例えば２回）検出された場合には、熱媒漏れであると判定し、その判定結果を報知するようにしたものである。
【先行技術文献】
【特許文献】
【０００５】
【特許文献１】特開２００４−２７８９０３号公報
【発明の概要】
【発明が解決しようとする課題】
【０００６】
制御手段によって熱媒漏れが判定された際には、熱媒の漏れている箇所を見つけて、補修する必要があるが、従来では、熱媒が漏れていることが判定されるものの、熱媒が漏れている箇所がどこであるかについての判定が行われないため、熱媒の漏れている箇所を見つける際には、熱媒循環路中の全ての箇所について、熱媒の漏れの有無を検査する必要があり、熱媒の漏れている箇所を見つける作業が多大な時間を費やす面倒な作業となる虞があった。
【０００７】
また、風呂追焚き用の熱交換器が漏れている場合には、熱媒が浴槽内に貯留される湯水に混入することになるため、風呂追焚き用の熱交換器が漏れている場合には、その漏れを的確にかつ早期に検出する必要があるが、従来では、熱媒循環路中の全ての箇所について、熱媒の漏れの有無を検査する必要があるため、風呂追焚き用の熱交換器が漏れているにも拘わらず、その漏れの検出を見落とす虞があった。
【０００８】
本発明は、上記実情に鑑みて為されたものであって、その目的は、風呂追焚き用の熱交換器が漏れていることを的確に且つ早期に検出することができ、しかも、熱媒が漏れている場合において熱媒の漏れている箇所を見つける作業を迅速且つ簡単に行うことができる熱供給装置を提供する点にある。
【課題を解決するための手段】
【０００９】
本発明の熱供給装置は、加熱状態と加熱停止状態とに切換え自在な加熱部、風呂追焚き用の熱交換器、暖房用の端末、及び、大気開放型の熱媒貯留タンクを経由する熱媒循環路を通して熱媒を循環させる熱媒循環手段と、
前記暖房用の端末をバイパスして熱媒を通流させるように前記熱媒循環路に接続されたバイパス路と、
前記熱媒循環路における前記バイパス路の接続箇所よりも前記暖房用の端末側に位置する循環路部分を開閉する暖房端末用の断続弁と、
前記熱媒貯留タンクに貯留される熱媒量が設定下限値以下であるか否か及び設定上限値以上であるか否かを検出する熱媒量検出手段と、
前記熱媒貯留タンクに熱媒を補給する補給状態と補給停止状態とに切換え自在な熱媒補給手段と、
前記加熱部、前記熱媒循環手段、前記暖房端末用の熱媒通流断続弁、及び、前記熱媒補給手段の作動を制御する制御手段とが設けられ、
前記制御手段が、前記熱媒量検出手段の検出情報に基づいて、熱媒量が前記設定下限値以下になると前記設定上限値になるように熱媒を補給すべく、前記熱媒補給手段の作動を制御する熱媒補給処理を実行するよう構成されたものであって、
その第１特徴構成は、
前記制御手段が、
前記熱媒補給処理を実行してからの経過時間が設定判定時間を経過するまでに前記熱媒量検出手段にて熱媒量が前記設定下限値以下になることが検出される熱媒異常減少状態が検出された場合、又は、その熱媒異常減少状態が連続して設定回数以上検出された場合には、前記熱媒補給処理を次に実行してからの検査経過時間が、前記熱媒補給処理を前回実行してから前記熱媒量検出手段にて熱媒量が前記設定下限値以下になることが検出されるまでに経過した減少検出経過時間よりも設定処理用時間だけ短い処理用タイミングになると、前記暖房端末用の断続弁を閉じ状態にして前記循環手段を作動させる熱媒加圧処理を実行し、かつ、
その熱媒加圧処理を実行したのちにおいて前記検査経過時間が前記設定判定時間又は前記減少検出経過時間に達するまでに、前記熱媒量検出手段にて熱媒量が前記設定下限値以下になることが検出されると、前記風呂追焚き用の熱交換器の漏れ異常であると判定し、その判定結果を報知する熱交換器漏れ判定処理を実行するように構成されている点を特徴とする。
【００１０】
すなわち、制御手段が、熱媒補給処理を実行してからの経過時間が設定判定時間を経過するまでに熱媒量検出手段にて熱媒量が設定下限値以下になることが検出される熱媒異常減少状態が検出された場合、又は、その熱媒異常減少状態が連続して設定回数以上検出された場合には、熱媒加圧処理を実行することになる。
【００１１】
この熱媒加圧処理は、暖房端末用の断続弁を閉じ状態にして循環手段を作動させる処理であり、これにより、熱媒循環路を通流する熱媒が、暖房用の端末を経由せずに、風呂追焚き用の熱交換器及びバイパス路を経由した状態で流動することになり、暖房用の端末を経由して熱媒を流動させるよりも、熱媒の流動抵抗が減少するため、風呂追焚き用の熱交換器を通流する熱媒の圧力が上昇することになる。
つまり、風呂追焚き用の熱交換器を通流する熱媒の圧力が上昇するため、風呂追焚き用の熱交換器に熱媒の漏れが発生していれば、熱媒の漏れが促進されることになる。
【００１２】
制御手段は、熱媒加圧処理を実行したのちにおいては、熱交換器漏れ判定処理を行うことになる。
すなわち、制御手段は、熱媒補給処理を次に実行してからの検査経過時間が設定判定時間又は減少検出経過時間に達するまでに、熱媒量検出手段にて熱媒量が設定下限値以下になることが検出されると、風呂追焚き用の熱交換器の漏れ異常であると判定し、その判定結果を報知することになる。
ちなみに、熱媒加圧処理にて、風呂追焚き用の熱交換器を通流する熱媒の圧力が上昇されているため、風呂追焚き用の熱交換器に熱媒の漏れが発生していれば、熱媒の漏れが促進されることになり、風呂追焚き用の熱交換器に熱媒の漏れが発生していると、熱媒量検出手段にて熱媒量が設定下限値以下になることが、熱媒加圧処理を行わない場合に較べて早くなる。
【００１３】
そして、熱交換器漏れ判定処理にて、風呂追焚き用の熱交換器の漏れ異常であると判定されて、その判定結果が報知されれば、熱媒の漏れの原因が風呂追焚き用の熱交換器であるとして、風呂追焚き用の熱交換器における熱媒の漏れの有無を検査することになる。
尚、風呂追焚き用の熱交換器には熱媒の漏れを見つけることができないときには、熱媒循環路における他の部分について熱媒の漏れの有無を検査することになるが、その際には、熱媒循環路のうちの、暖房端末用の断続弁よりも暖房用端末側に位置する循環路部分を除いた循環路部分について熱媒の漏れの有無を検査すれば良いことになる。
【００１４】
このように、熱媒補給処理を実行してからの経過時間が設定判定時間を経過するまでに熱媒量検出手段にて熱媒量が設定下限値以下になることが検出される熱媒異常減少状態が検出された場合、又は、その熱媒異常減少状態が連続して設定回数以上検出された場合には、熱媒加圧処理並びに熱交換器漏れ判定処理が実行されて、熱媒の漏れが風呂追焚き用の熱交換器にて発生しているか否かが判定されるから、風呂追焚き用の熱交換器における熱媒の漏れを的確に検出することが可能となるのである。
【００１５】
また、熱媒加圧処理によって、風呂追焚き用の熱交換器に熱媒の漏れが発生していれば、熱媒の漏れを促進させることができるため、風呂追焚き用の熱交換器に熱媒の漏れが発生していることを早期に検出することが可能となるのである。
【００１６】
さらに、熱交換器漏れ判定処理が実行されて、熱媒の漏れが風呂追焚き用の熱交換器にて発生しているか否かが判定されるため、熱媒循環路中のうちの、熱媒の漏れが発生している範囲が限定されるものとなり、熱媒の漏れが発生している箇所を見つける際に、熱媒循環路の全てについて熱媒の漏れの有無について検査する必要が無くなって、熱媒の漏れが発生している箇所を見つける作業を迅速且つ簡単に行えるものとなる。
【００１７】
要するに、本発明の第１特徴構成によれば、風呂追焚き用の熱交換器が漏れていることを的確に且つ早期に検出することができ、しかも、熱媒が漏れている場合において熱媒の漏れている箇所を見つける作業を迅速且つ簡単に行うことができる熱供給装置を提供するに至った。
【００１８】
本発明の第２特徴構成は、上記第１特徴構成に加えて、
前記制御手段が、
前記検査経過時間が前記減少検出経過時間に達するまでに、前記熱媒量検出手段にて熱媒量が前記設定下限値以下になることが検出されると、前記風呂追焚き用の熱交換器の漏れ異常であると判定する場合において、前記検査経過時間が前記減少検出経過時間を経過したのち前記設定判定時間に達するまでに、前記熱媒量検出手段にて熱媒量が設定下限値以下になることが検出されたとき、又は、
前記検査経過時間が前記設定判定時間に達するまでに、前記熱媒量検出手段にて熱媒量が前記設定下限値以下になることが検出されると、前記風呂追焚き用の熱交換器の漏れ異常であると判定する場合において、前記検査経過時間が前記設定判定時間に達するまでに、前記熱媒量検出手段にて熱媒量が設定下限値以下になることが検出されないときには、
前記暖房用の端末の漏れ異常であると判定し、その判定結果を報知する暖房用の端末漏れ判定処理を実行するように構成されている点を特徴とする。
【００１９】
すなわち、制御手段は、熱媒補給処理を次に実行してからの検査経過時間が減少検出経過時間に達するまでに、熱媒量検出手段にて熱媒量が設定下限値以下になることが検出されると、風呂追焚き用の熱交換器の漏れ異常であると判定する場合において、検査経過時間が前記減少検出経過時間を経過したのち前記設定判定時間に達するまでに、前記熱媒量検出手段にて熱媒量が設定下限値以下になることが検出されたとき、又は、検査経過時間が設定判定時間に達するまでに、熱媒量検出手段にて熱媒量が設定下限値以下になることが検出されると、風呂追焚き用の熱交換器の漏れ異常であると判定する場合において、検査経過時間が前記設定判定時間に達するまでに、熱媒量検出手段にて熱媒量が設定下限値以下になることが検出されないときには、熱媒補給処理を次に実行してからの検査経過時間が設定判定時間又は減少検出経過時間に達するまでに、熱媒量検出手段にて熱媒量が設定下限値以下になることが検出されないときには、暖房用の端末の漏れ異常であると判定し、その判定結果を報知することになる。
【００２０】
そして、暖房用の端末漏れ判定処理にて、暖房用の端末の漏れ異常であると判定されて、その判定結果が報知されれば、熱媒の漏れの原因が暖房用の端末であるとして、暖房用の端末における熱媒の漏れの有無を検査することになる。
尚、暖房用の端末に熱媒の漏れを見つけることができないときには、熱媒循環路における他の部分について熱媒の漏れを検出することになるが、その際には、熱媒循環路のうちの、暖房端末用の断続弁よりも暖房用端末側に位置する循環路部分について熱媒の漏れの有無を検査すれば良いことになる。
【００２１】
このように、熱媒補給処理を実行してからの経過時間が設定判定時間を経過するまでに熱媒量検出手段にて熱媒量が設定下限値以下になることが検出される熱媒異常減少状態が検出された場合、又は、その熱媒異常減少状態が連続して設定回数以上検出された場合には、熱媒加圧処理並びに暖房用の端末漏れ判定処理が実行されて、熱媒の漏れが暖房用の端末にて発生しているか否かが判定されるから、暖房用の端末における熱媒の漏れを的確に検出することが可能となるのである。
【００２２】
さらに、暖房用の端末漏れ判定処理が実行されて、熱媒の漏れが暖房用の端末にて発生しているか否かが判定されるため、熱媒循環路中のうちの、熱媒の漏れが発生している範囲が限定されるものとなり、熱媒の漏れが発生している箇所を見つける際に、熱媒循環路の全てについて熱媒の漏れの有無について検査する必要が無くなって、熱媒の漏れが発生している箇所を見つける作業を迅速且つ簡単に行えるものとなる。
【００２３】
要するに、本発明の第２特徴構成によれば、上記第１特徴構成による作用効果に加えて、暖房用の端末が漏れていることを的確に検出することができ、しかも、熱媒が漏れている場合において熱媒の漏れている箇所を見つける作業を迅速且つ簡単に行うことができる熱供給装置を提供するに至った。
【００２４】
本発明の第３特徴構成は、上記第１又は第２特徴構成に加えて、
前記制御手段が、前記熱媒加圧処理において、前記加熱部を加熱状態にする処理を実行するように構成されている点を特徴とする。
【００２５】
すなわち、制御手段は、熱媒加圧処理において、加熱部を加熱状態にする処理を実行することになる。
【００２６】
このように、熱媒加圧処理において加熱部が加熱状態になるため、熱媒循環路を通流する熱媒が熱せられて、熱媒の圧力が上昇することにより、風呂追焚き用の熱交換器を通流する熱媒の圧力が上昇することになり、風呂追焚き用の熱交換器に熱媒の漏れが発生していれば、熱媒の漏れが一層促進されることになる。
【００２７】
要するに、本発明の第３特徴構成によれば、上記第１特徴構成による作用効果に加えて、風呂追焚き用の熱交換器が漏れていることを一層的確に且つ迅速に検出することができる熱供給装置を提供するに至った。
【００２８】
本発明の第４特徴構成は、上記第１〜第２特徴構成のいずれかに加えて、
前記熱媒循環路が、前記風呂追焚き用の熱交換器を装備する風呂追焚き用循環路部分と前記暖房用の端末を装備する暖房用循環路部分とを並列状態で備えるように構成され、
前記風呂追焚き用循環路部分を開閉する風呂追焚き用の断続弁が設けられ、
前記制御手段が、前記熱媒加圧処理において、前記風呂追焚き用の断続弁を開き状態にする処理を実行するように構成されている点を特徴とする。
【００２９】
すなわち、熱媒循環路が、風呂追焚き用の熱交換器を装備する風呂追焚き用循環路部分と暖房用の端末を装備する暖房用循環路部分とを並列状態で備えるように構成され、風呂追焚き用循環路部分を開閉する風呂追焚き用の断続弁が設けられているから、暖房用の端末に熱媒を流動する暖房運転のみを行う際には、風呂追焚き用の断続弁を閉じることにより、風呂追焚き用の熱交換器にて熱媒の熱が放熱されることを抑制することができる。
もちろん、風呂追焚き用の熱交換器にて浴槽の湯水を加熱するときには、風呂追焚き用の断続弁を開けることになる。
【００３０】
そして、制御手段が、熱媒加圧処理を行うときには、風呂追焚き用の断続弁を開き状態にして、熱媒を風呂追焚き用の熱交換器を通して循環させることになる。
【００３１】
要するに、本発明の第４特徴構成によれば、上記第１〜第３特徴構成のいずれかによる作用効果に加えて、暖房運転のときには、風呂追焚き用の熱交換器にて熱媒の熱が放熱されることを抑制しながら、熱媒加圧処理を行うときには、熱媒を風呂追焚き用の熱交換器を通して循環させることができる熱供給装置を提供するに至った。
【００３２】
本発明の第５特徴構成は、上記第４特徴構成に加えて、
前記バイパス路の開度を変更する開度調整手段が設けられ、
前記制御手段が、前記熱媒加圧処理において、前記開度調整手段を開度減少側に調整する処理を実行するように構成されている点を特徴とする。
【００３３】
すなわち、制御手段が、熱媒加圧処理において、バイパス路の開度を変更する開度調整手段を開度減少側に調整することになる。
【００３４】
このように、熱媒加圧処理において、バイパス路の開度を変更する開度調整手段が開度減少側に調整されると、バイパス路を通流する熱媒の流量が減少するため、風呂追焚き用の熱交換器を経由して流動する熱媒量が増加して、風呂追焚き用の熱交換器を通流する熱媒の圧力が上昇することになり、風呂追焚き用の熱交換器に熱媒の漏れが発生していれば、熱媒の漏れが一層促進されることになる。
【００３５】
要するに、本発明の第５特徴構成によれば、上記第４特徴構成の作用効果に加えて、風呂追焚き用の熱交換器が漏れていることを一層的確に且つ迅速に検出することができる熱供給装置を提供するに至った。
【図面の簡単な説明】
【００３６】
【図１】熱供給装置を示す図
【図２】制御作動を示すフローチャート
【発明を実施するための形態】
【００３７】
本発明の実施形態を図面に基づいて説明する。
〔実施形態〕
図１に示すように、加熱状態と加熱停止状態とに切換え自在な加熱部としての、ガス燃焼式の熱源機１、風呂追焚き用の熱交換器２、大気開放型の熱媒貯留タンク３、及び、循環手段としての循環ポンプ４が設けられ、さらに、暖房用の端末Ｄとして、浴室暖房乾燥機等の高温暖房端末ＤＡ、及び、床暖房装置等の低温暖房端末ＤＢが設けられている。
【００３８】
熱源機１、風呂追焚き用の熱交換器２、熱媒貯留タンク３、及び、循環ポンプ４が、熱源機ケーシングＦの内部に収納され、その熱源機ケーシングＦの内部には、制御手段としての運転制御部Ｈも収納されている。
【００３９】
熱源機ケーシングＦの内部には、熱源機１、風呂追焚き用熱交換器２、熱媒貯留タンク３、及び、循環ポンプ４を経由し、循環ポンプ４から熱源機１に戻る機内循環路ＬＡが形成されている。尚、図１においては、機内循環路ＬＡを黒塗線にて示す。
【００４０】
その機内循環路ＬＡにおける熱源機１と風呂追焚き用の熱交換器２との間に位置する循環路部分からは高温用循環路ＬＢが分岐され、その先端部には、高温用接続継手５が設けられている。
又、機内循環ＬＡにおける循環ポンプ４と熱源機１との間に位置する循環路部分からは低温用循環路ＬＣが分岐され、その先端部には、低温用接続継手６が設けられている。
【００４１】
さらに、機内循環路ＬＡにおける風呂追焚き用の熱交換器２と熱媒貯留タンク３との間からは、戻り用循環路ＬＤが分岐され、その先端部には、戻り用接続継手７が設けられている。
【００４２】
高温用循環路ＬＢと、機内循環路ＬＡにおける風呂追焚き用の熱交換器２と熱媒貯留タンク３の間に位置する箇所とを接続する状態で、高温暖房端末ＤＡをバイパスして熱媒を通流させるバイパス路ＬＧが設けられている。
【００４３】
そして、高温用接続継手５から戻り用接続継手７に至る機外高温循環路ＬＥが、高温端末ＤＡを経由する状態で設けられ、また、低温用接続継手６から戻り用接続継手７に至る機外低温循環路ＬＦが、低温端末ＤＢを経由する状態で設けられている。
機外高温循環路ＬＥには、高温側熱動弁８が設けられ、機外低温循環路ＬＦには、低温側熱動弁９が設けられている。
【００４４】
したがって、この実施形態においては、機内循環路ＬＡ、高温用循環路ＬＢ、低温用循環路ＬＣ、戻り用循環路ＬＤ、機外高温循環路ＬＥ、及び、機外低温循環路ＬＦにて、熱媒循環路Ｌが構成されることになる。
そして、機外高温循環路ＬＥが、循環路Ｌにおけるバイパス路ＬGの接続箇所よりも高温暖房端末側に位置する循環路部分となり、高温側熱動弁８が、この循環路部分を開閉する暖房端末用の断続弁として機能することになる。
また、この実施形態においては、機内循環路ＬＡが低温暖房端末ＤＢをバイパスするバイパス路として機能することになり、機外低温循環路ＬＦが、循環路Ｌにおけるバイパス路としての機内循環路ＬＡの接続箇所よりも低温暖房端末側に位置する循環路部分となり、低温側熱動弁９が、この循環路を開閉する暖房端末用の断続弁として機能することになる。
【００４５】
また、この実施形態においては、熱媒循環路Ｌが、風呂追焚き用の熱交換器２を装備する風呂追焚き用循環路部分と高温暖房端末ＤＡを装備する暖房用循環路部分とを並列状態で備えるように構成されることになる。
ちなみに、風呂追焚き用循環路部分とは、機内循環路ＬＡのうちの、熱源機１から風呂追焚き用の熱交換器２を経由して熱媒貯留タンク３に至る部分であり、また、暖房用循環路部分とは、高温用循環路ＬＢ、機外高温循環路ＬＥ、及び、戻り用循環路ＬＤである。
【００４６】
そして、風呂追焚き用循環路部分を開閉する風呂追焚き用の断続弁としての追焚き弁１０が、機内循環路ＬＡにおける風呂追焚き用の熱交換器２と熱媒貯留タンク３との間で且つバイパス路ＬＧの接続箇所よりも上流側箇所に設けられている。
【００４７】
バイパス路ＬGは、このバイパス路ＬGの開度を変更する開度調整手段としてのバイパス弁１１にて開閉される第１路ｂ１と、常時連通する第２路ｂ２とを備えており、バイパス弁１１の開閉により、開度を２段階に変更調整されるように構成されている。
ちなみに、バイパス路１１は、高温暖房端末ＤＡの熱負荷が小さいときには、高温暖房端末ＤＡへの熱媒通流量を減少させるために開かれることになり、高温暖房端末ＤＡの熱負荷が大きいときには、高温暖房端末ＤＡへの熱媒通流量を十分な量にするために閉じられることになる。
【００４８】
また、機内循環路ＬＡにおける熱源機１の出口側箇所には、高温サーミスタ１２が設けられ、低温用循環路ＬＣには、低温サーミスタ１３が設けられている。
【００４９】
したがって、この実施形態においては、高温側熱動弁８及び低温側熱動弁９が閉じられ、かつ、追焚き弁１０が開かれていると、熱媒の一部が機内循環路ＬＡを循環しかつ熱媒の残部がバイパス路ＬＧを経由しながら機内循環路ＬＡを循環する。この循環状態を機内循環状態と呼称する。
【００５０】
また、高温側熱動弁８及び低温側熱動弁９が閉じられ、しかも、追焚き弁１０も閉じられていると、熱媒の全量が、バイパス路ＬＧを経由しながら機内循環路ＬＡを循環する。この循環状態を、機内循環バイパス状態と呼称する。
【００５１】
また、高温側熱動弁８が開かれ、且つ、低温側熱動弁９が閉じられていると、熱媒の一部が、機内循環状態又は機内循環バイパス状態で循環し、熱媒の残部が、機内循環路ＬＡから高温循環路ＬＢに分岐し、その後、機外高温循環路ＬＥ、及び、戻り用循環路ＬＤを経由して機内循環路ＬＡに戻る形態で循環する。この循環状態を高温循環状態と呼称する。
【００５２】
また、高温側熱動弁８が閉じられ、且つ、低温側熱動弁９が開かれると、熱媒の一部が、機内循環状態又は機内循環バイパス状態で循環し、熱媒の残部が、機内循環路ＬＡから低温循環路ＬＣに分岐し、その後、機外低温循環路ＬＦ、及び、戻り用循環路ＬＤを経由して機内循環路に戻る形態で循環する。この循環状態を低温循環状態と呼称する。
【００５３】
さらに、高温側熱動弁８及び低温側熱動弁９が開かれると、熱媒の一部が、機内循環状態又は機内循環バイパス状態で循環し、残りの熱媒のうちの一部が、高温循環状態で循環し、かつ、残りの熱媒の残部が、低温循環状態で循環する。この循環状態を、高低両循環状態と呼称する。
【００５４】
運転制御部Ｈは、風呂追焚き用の熱交換器２にて加熱するときは、その加熱を優先して、熱源機１にて熱媒を設定温度（例えば、６０℃）に加熱するように構成され、また、風呂追焚き用の熱交換器２の加熱停止状態において、高温暖房端末ＤＡに熱媒を供給するときには、熱源機１にて熱媒を高温端末用の温度（例えば、８０℃）に加熱し、風呂追焚き用の加熱器２の加熱停止状態において、低温暖房端末ＤＢに熱媒を供給するときには、熱媒を熱源機１にて低温端末用の温度（例えば、７０℃）に加熱するように構成されている。
【００５５】
また、運転制御部Ｈは、風呂追焚き用の熱交換器２の加熱停止状態において、高温暖房端末ＤＡ及び低温暖房端末ＤＢに熱媒を供給するときには、熱源機１にて熱媒を高温端末用の温度（例えば、８０℃）に加熱するように構成されている。
ちなみに、この加熱状態における低温暖房端末ＤＢへの熱媒供給量の調節は、設定周期のうちの開き状態にする開閉比率を増減させる形態で低温側熱動弁９を設定周期で開閉させるに、低温端末用の温度（例えば、７０℃）に基づいて定めた開閉比率を、低温サーミスタ１３の検出温度に基づいて補正することにより行われる。
【００５６】
風呂追焚き用の熱交換器２には、浴槽１４からの湯水を風呂追焚き用の熱交換器２に戻すための風呂戻り路１５、及び、風呂追焚き用の熱交換器２にて加熱した湯水を浴槽３に供給するための風呂往き路１６が接続され、風呂戻り路１５には、風呂ポンプ１７が装備されている。
そして、風呂ポンプ１７を作動させて、風呂戻り路１５および風呂往き路１６を通して浴槽３内の湯水を循環させることにより、浴槽３内の湯水を、機内循環路ＬＡを通流する熱媒により風呂追焚き用の熱交換器２にて加熱するように構成されている。
【００５７】
風呂戻り路１５には、浴槽３内の湯水の循環方向に沿って上流側から順に、浴槽３内の湯水の水位を検出する水位センサ１８、風呂戻り路１６内の湯水の温度を検出する風呂戻りサーミスタ１９、風呂水流スイッチ２０が設けられている。
【００５８】
熱源機ケーシングＦの内部には、ガス燃焼式の給湯用熱源機２１が設けられている。
この給湯用熱源機２１は、水道水圧にて給水する給水路２２からの水を設定目標温度（例えば、４２℃）に加熱して、給湯路２３を通して出湯するように構成されている。
そして、給湯路２３からの湯水を風呂往き路１６に供給する湯張り路２４が設けられ、その湯張り路２４を開閉する湯張り弁２５が設けられている。
したがって、湯張り弁２５を開くことにより、給湯用熱源機２１からの湯水を、湯張り路２４、風呂戻り路１５、及び、風呂往き路１６を通して浴槽１４に供給できるように構成されている。
【００５９】
運転制御部Ｈは、運転リモコンＲにて指令された情報及びセンサ類の検出情報等に基づいて、熱源機１を作動させて、浴槽３の湯水を目標設定温度に追焚きする追焚き処理、及び、高温暖房端末ＤＡ又は低温暖房端末ＤＢに熱媒を供給する暖房運転処理を実行することになり、また、給湯用熱源機２１を作動させて、目標設定温度の湯水を給湯する一般給湯処理、及び、給湯用熱源機２１を作動させて湯張り路２４に目標設定温度の湯水を給湯する湯張り処理を実行することになる。
【００６０】
また、運転制御部Ｈは、熱媒としての湯水を熱媒貯留タンク３に補給する熱媒補給処理を実行するように構成されている。
すなわち、熱媒貯留タンク３には、それに貯留されている熱媒量が設定下限値以下であるか否か及び設定上限値以上であるか否かを検出する熱媒量検出手段Ｓが設けられ、また、熱媒貯留タンク３に熱媒としての湯水を補給する補給状態と補給停止状態とに切換え自在な熱媒補給手段Ｔが設けられている。
【００６１】
熱媒量検出手段Ｓは、基準電極２６、熱媒量が設定下限値になったことを検出するための下限電極２７、及び、熱媒量が設定上限値になったことを検出するための上限電極２８を備えて、基準電極２６と下限電極２７との間の電気抵抗、及び、基準電極２６と上限電極２８との間の電気抵抗により、熱媒量を検出するように構成されている。
【００６２】
熱媒補給手段Ｔは、水道水圧にて熱媒貯留タンク３に熱媒のとしての湯水を供給するための補給路２９、及び、その補給路２９を開閉する補給断続弁３０を備えて、補給断続弁３０を開くと補給状態となり、補給断続弁３０を閉じると補給停止状態となるように構成されている。
【００６３】
そして、運転制御部Ｈは、熱媒補給処理として、熱媒量検出手段Ｓの検出情報に基づいて、熱媒量が設定下限値以下になると設定上限値になるように熱媒を補給すべく、熱媒補給手段の作動を制御する処理を実行するように構成されている。
具体的には、熱媒量検出手段Ｓにて熱媒量が設定下限値以下になったことが検出されると、補給断続弁３０を開き作動させ、その後、熱媒量検出手段Ｓにて熱媒量が設定上限値以上になったことが検出されると、補給断続弁３０を閉じ作動させることになる。
【００６４】
さらに、運手制御部Ｈが、熱媒補給処理を実行してからの経過時間が設定判定時間（例えば、６２時間）を経過するまでに熱媒量検出手段Ｓにて熱媒量が設定下限値以下になることが検出される熱媒異常減少状態が検出された場合には、熱媒補給処理を次に実行してからの検査経過時間が、熱媒補給処理を前回実行してから熱媒量検出手段Ｓにて熱媒量が設定下限値以下になることが検出されるまでに経過した減少検出経過時間よりも設定処理用時間（例えば、５分〜１０分）だけ短い処理用タイミングになると、暖房端末用の断続弁としての、高温側熱動弁８及び低温側熱動弁９を閉じ状態にして、循環ポンプ４を作動させる熱媒加圧処理を実行するように構成されている。
【００６５】
運転制御部Ｈは、この熱媒加圧処理においては、上述の如く、高温側熱動弁８及び低温側熱動弁９を閉じ状態にして、循環ポンプ４を作動させることに加えて、熱源機１を加熱状態にする処理を実行し、また、追焚き弁１０を開き状態にする処理を実行し、さらに、バイパス弁１１を閉じる処理を実行するように構成されている。
【００６６】
このように、熱媒加圧処理を実行することにより、風呂追焚き用の熱交換器２を通流する熱媒が加圧された状態となるため、風呂追焚き用の熱交換器２にて漏れが発生している場合には、その漏れが促進されることになる。
【００６７】
そして、運転制御部Ｈは、上述した熱媒加圧処理を実行したのちにおいて検査経過時間が設定判定時間に達するまでに、熱媒量検出手段Ｓにて熱媒量が設定下限値以下になることが検出されると、風呂追焚き用の熱交換器２の漏れ異常であると判定し、その判定結果を報知する熱交換器漏れ判定処理を実行するように構成されている。
すなわち、運転制御部Ｈは、風呂追焚き用の熱交換器２の漏れ異常であるか否かを判定し、そして、風呂追焚き用の熱交換器２の漏れ異常であると判定した場合には、その判定結果を運転リモコンＲにて表示して報知することになる。
【００６８】
また、運転制御部Ｈは、上述した熱媒加圧処理を実行したのちにおいて検査経過時間が設定判定時間に達しても、熱媒量検出手段Ｓにて熱媒量が設定下限値以下になることが検出されないときには、暖房用の端末Ｄ（高温暖房端末ＤＡや低温暖房端末ＤＢ）の漏れ異常であると判定して、その判定結果を報知する暖房用の端末漏れ判定処理を実行するように構成されている。
すなわち、運転制御部Ｈは、暖房用の端末Ｄ（高温暖房端末ＤＡや低温暖房端末ＤＢ）の漏れ異常であるか否かを判定し、そして、暖房用の端末Ｄ（高温暖房端末ＤＡや低温暖房端末ＤＢ）の漏れ異常であると判定した場合には、その判定結果を運転リモコンＲにて表示して報知することになる。
【００６９】
さらに、運転制御部Ｈは、上述した熱媒加圧処理を実行したのちにおいて検査経過時間が、減少検出経過時間よりも設定処理用時間（例えば、１５分〜３０分）だけ短い処理用タイミングになるまでに、熱媒量検出手段Ｓにて熱媒量が設定下限値以下になることが検出された場合には、熱媒の異常漏れであると判定し、その判定結果を報知する異常漏れ判定処理を実行するように構成されている。
すなわち、運転制御部Ｈは、熱媒漏れ箇所がどこであるかは特定できないものの、熱媒の異常な漏れが発生していると判定して、その判定結果を運転リモコンＲにて表示して報知することになる。
【００７０】
このように、熱媒の漏れが発生した場合において、多くの場合は、その漏れの発生する箇所が、風呂追焚き用の熱交換器２であるか、又は、暖房用の端末Ｄ（高温暖房端末ＤＡや低温暖房端末ＤＢ）であるかが判定されて、その判定結果が表示される（報知される）ため、作業者はその表示された内容（報知された内容）に基づいて、熱媒の漏れている箇所を見つけて補修する作業を迅速且つ簡単に行えるものとなるのである。
【００７１】
又、風呂追焚き用の熱交換器２にて漏れが発生している場合には、熱媒加圧処理を行うことにより、風呂追焚き用の熱交換器２からの熱媒の漏れを促進させながら、熱媒の漏れを迅速に判定できるため、浴槽１４に熱媒が微量に漏れ続けることを迅速に回避できるのである。
【００７２】
以下、運転制御部Ｈが実行する熱媒加圧処理及び熱交換器漏れ判定処理について、図２に示すフローチャートに基づいて説明する。
ちなみに、運転制御部Ｈは、これらの処理の他、一般給湯処理、暖房運転処理、湯張り処理、追焚き処理等の処理を、順次繰り返し実行することになり、そして、運転リモコンＲの指令にて暖房運転処理を実行する場合においても、熱媒加圧処理を優先して実行することになる。
【００７３】
先ず、熱媒補給処理を実行してからの経過時間が設定判定時間（例えば、６２時間）を経過するまでに熱媒量検出手段Ｓにて熱媒量が設定下限値以下になることが検出される熱媒異常減少状態が検出された場合において、後述の如く設定される「検査モード」であるか否かを判断する（＃１）。
検査モードでない場合には、熱媒量検出手段Ｓにて熱媒量が設定下限値以下であることが検出されたか、つまり、下限検出であるか否かを判別する（＃２）。
【００７４】
＃２にて、下限検出でないと判別した場合には、別の処理に移行することになる。
＃２にて、下限検出であると判定した場合には、熱媒補給処理を実行してからの経過時間が設定判定時間（例えば、６２時間）以内否かを判別する（＃３）。
【００７５】
＃３にて、設定判定時間以内であると判別した場合には、上述した「検査モード」を設定する処理（＃４）を実行したのちに、上述した熱媒補給処理を実行する（＃５）。
また、＃３にて、設定判定時間以内でないと判別した場合には、＃５の熱媒補給処理を実行することになる。
そして、＃５の熱媒補給処理を実行したのちは、別の処理に移行することになる。
【００７６】
＃１にて、「検査モード」であると判断した場合には、熱媒量検出手段Ｓにて熱媒量が設定下限値以下であることが検出されたか、つまり、下限検出であるか否かを判別する（＃６）。
下限検出でない場合には、熱媒補給処理を実行してからの経過時間が設定判定時間（例えば、６２時間）を経過したか否かを判別することになる（＃７）。
【００７７】
＃７にて、設定判定時間経過でないことを判別した場合には、熱媒補給処理を次に実行してからの検査経過時間が、熱媒補給処理を前回実行してから熱媒量検出手段Ｓにて熱媒量が設定下限値以下になることが検出されるまでに経過した減少検出経過時間よりも設定処理用時間（例えば、５分〜１０分）だけ短い処理用タイミングであるか否かを判別し（＃８）、処理用タイミングである場合には、熱媒加圧処理を実行し（＃９）、その後、別の処理に移行することになる。
この熱媒加圧処理は、上述の如く、高温側熱動弁８及び低温側熱動弁９を閉じ状態にして、循環ポンプ４を作動させ、加えて、熱源機１を加熱状態にする処理を実行し、また、追焚き弁１０を開き状態にする処理を実行し、さらに、バイパス弁１１を閉じる処理を実行することになる。
【００７８】
＃７にて、設定判定時間経過であることを判別した場合には、異常なしと判定する（＃１０）。
つまり、＃７にて、設定判定時間経過であることが判別される場合とは、熱媒量検出手段Ｓにて熱媒量が設定下限値以下になることが検出されることなく、熱媒補給処理を次に実行してからの検査経過時間が設定判定時間を経過した場合であり、風呂追焚き用の熱交換器２や暖房用の端末Ｄに熱媒の漏れがない状態であると判定できるからである。
ちなみに、＃１０にて、異常なしと判定することに代えて、再検査を念のため行うことを目的として、次回に熱媒補給処理を実行したときに、「検査モード」を設定して、再検査を行い、この再検査においても、同様の結果を得た場合には、異常なしと判定するようにしてもよい。
【００７９】
＃６にて、下限検出であると判別したときには、熱媒補給処理を次に実行してからの検査経過時間が、上述した処理用タイミングの経過後であるか否かを判断することになる（＃１１）。
検査経過時間が処理用タイミングの経過後である場合には、検査経過時間が、熱媒補給処理を前回実行してから熱媒量検出手段Ｓにて熱媒量が設定下限値以下になることが検出されるまでに経過した減少検出経過時間を経過しているか否かを判別する（＃１２）。
【００８０】
＃１２にて、検査経過時間が減少検出経過時間を経過していないと判別したときには、風呂追焚き用の熱交換器の漏れ異常であると判定する（＃１３）。
つまり、＃１２にて、検査経過時間が減少検出経過時間を経過していないと判別される場合とは、＃９の熱媒加圧処理の実行により、風呂追焚き用の熱交換器２に漏れが発生していれば、その漏れが促進されて、熱媒量検出手段Ｓにて熱媒量が設定下限値以下になることが検出されたという状況であるため、風呂追焚き用の熱交換器の漏れ異常であると判定できるからである。
【００８１】
また、＃１２にて、検査経過時間が減少検出経過時間を経過していると判別したときには、暖房用の端末Ｄの漏れ異常であると判定する（＃１４）。
つまり、＃１２にて、検査経過時間が減少検出経過時間を経過していると判別される場合とは、＃９の熱媒加圧処理を実行しても、風呂追焚き用の熱交換器２の漏れが促進されることなく、熱媒量検出手段Ｓにて熱媒量が設定下限値以下になることが検出された状況であり、このような状況が生じるのは、風呂追焚き用の熱交換器２には熱媒の漏れがなく、暖房用の端末Ｄに熱媒の漏れがある状態であると判定できるからである。
【００８２】
＃１１にて、検査経過時間が処理用タイミングの経過後でないと判断した場合には、熱媒の漏れ箇所は特定できないが、熱媒の漏れが存在する異常判定を行う（＃１３）。
尚、＃１１にて、検査経過時間が処理用タイミングの経過後でない場合と判断されること、つまり、検査経過時間が処理用タイミングに達する前に、熱媒量検出手段Ｓにて熱媒量が設定下限値以下になることが検出されることは、通常は起こらないと考えられるが、使用に伴って漏れ箇所の漏れ量が急激に増大する傾向にあるような場合には、このような状況が発生することになる。
【００８３】
〔別実施形態〕
次に別実施形態を説明する。
（イ）  上記実施形態では、熱媒補給処理を実行してからの経過時間が設定判定時間を経過するまでに熱媒量検出手段にて熱媒量が設定下限値以下になることが検出される熱媒異常減少状態が検出された場合において、直ちに、「検査モード」を設定するようにしたが、熱媒異常減少状態が連続して設定回数（例えば、２回）以上検出された場合において、「検査モード」を設定する形態で実施してもよい。
【００８４】
（ロ）  上記実施形態では、バイパス路の開度を変更する開度調整手段として、開度を２段階に変更する場合を例示したが、開度を３段階以上の複数段階に変更する形態や、開度を無段階に変更する形態で実施してもよい。
【００８５】
（ハ）  上記実施形態においては、熱交換器漏れ判定処理を、熱媒加圧処理を実行したのちにおいて検査経過時間が減少検出経過時間に達するまでに、熱媒量検出手段にて熱媒量が設定下限値以下になることが検出されると、風呂追焚き用の熱交換器の漏れ異常であると判定する場合を例示したが、熱交換器漏れ判定処理を、熱媒加圧処理を実行したのちにおいて検査経過時間が設定判定時間に達するまでに、熱媒量検出手段にて熱媒量が設定下限値以下になることが検出されると、風呂追焚き用の熱交換器の漏れ異常であると判定するように構成して、実施してもよい。
【００８６】
（ニ）  上記実施形態においては、熱交換器漏れ判定処理が、熱媒加圧処理を実行したのちにおいて検査経過時間が減少検出経過時間に達するまでに、熱媒量検出手段にて熱媒量が設定下限値以下になることが検出されると、風呂追焚き用の熱交換器の漏れ異常であると判定する場合を例示し、暖房用の端末漏れ判定処理を、検査経過時間が減少検出経過時間を経過したのち設定判定時間に達するまでに、熱媒量検出手段にて熱媒量が設定下限値以下になることが検出されたときに、暖房用の端末の漏れ異常であると判定するように構成する場合を例示した。
これに代えて、熱交換器漏れ判定処理が、熱媒加圧処理を実行したのちにおいて検査経過時間が設定判定時間に達するまでに、熱媒量検出手段にて熱媒量が設定下限値以下になることが検出されると、風呂追焚き用の熱交換器の漏れ異常であると判定する場合においては、暖房用の端末漏れ判定処理を、検査経過時間が設定判定時間に達するまでに、熱媒量検出手段にて熱媒量が設定下限値以下になることが検出されないときには、暖房用の端末の漏れ異常であると判定するように構成して、実施してもよい。
【００８７】
（ホ）  上記実施形態では、暖房用の端末として、高温用の端末と低温用の端末とが備えられる場合を例示したが、例えば、高温用の端末のみを備えさせる形態や、低温用の端末を備えさせる形態で実施してもよい。
【符号の説明】
【００８８】
１      加熱部
２      風呂追焚き用の熱交換器
３      熱媒貯留タンク
４      循環手段
８、９  暖房端末用の断続弁
１０    風呂追焚き用の断続弁
１１    開度調整手段
Ｄ      暖房用の端末
Ｈ      制御手段
Ｌ      熱媒循環路
ＬＧ    バイパス路
Ｓ      熱媒量検出手段
Ｔ      熱媒補給手段
【図１】
0005432801.tif 000002
【図２】
0005432801.tif 000003